(57)【特許請求の範囲】
【請求項１】
トイレ５をローラ９で支持して、トイレ５が床６の面上を移動できるように形成し、トイレ５の便座１４は、駆動力を加えることにより上下に昇降できるように形成するとともに、便座１４は、駆動力を加えないことにより、昇降して停止した位置に停止するように形成し、
前記トイレ５の下面の周囲に、弾力性と水密性を有するリップ部８を設け、
前記リップ部８の外側の一部に、空気吸引式のごみ及び水滴吸入装置５０を設けた移動式トイレ。
【発明の詳細な説明】
【０００１】
【発明の属する技術分野】
本発明は、トイレを床面上を移動できるようにするととともに、トイレの便座を昇降できるようにする移動式トイレに関する。
【０００２】
【従来の技術】
便座を昇降させて、必要とする高さに設定できるようにした昇降装置付便器は、特開平１０−２９２４６５号公報に記載されている。
【０００３】
【発明が解決しようとする課題】
前記特開平１０−２９２４６５号公報に記載されている発明は、便器を昇降装置上に設置して、必要に応じた床面からの高さに設定可能にしたものであり、トイレを使い易いものにしているが、本発明は、さらに使い易いトイレにすることを課題とする。
【０００４】
【課題を解決するための手段】
トイレ５をローラ９で支持して、トイレ５が床６の面上を移動できるように形成し、トイレ５の便座１４は、駆動力を加えることにより上下に昇降できるように形成するとともに、便座１４は、駆動力を加えないことにより、昇降して停止した位置に停止するように形成し、トイレ５の下面の周囲に、弾力性と水密性を有するリップ部８を設け、リップ部８の外側の一部に、空気吸引式のごみ及び水滴吸入装置５０を設けて移動式トイレとした。
【０００７】
【発明の実施の形態】
以下図に基づいて本発明の実施の形態の説明をする。図１から図７は、本発明の移動式トイレの実施の形態の説明用の図である。
【０００８】
この実施の形態は、トイレ５を４個のローラ９で支持して、トイレ５がトイレ５を記載した室などの床６の面上を、移動できるように形成してある。
そして、トイレ５は、トイレ５の下部に設けたストッパ１０をねじ込んで、ストッパ１０を床６に圧接させることにより、トイレ５を床６に固定できるように形成してある。
【０００９】
また、トイレ５に設けた便器本体１１は、中央部から下部が固定化して形成されており、上部は上下に伸縮可能な蛇腹状部１３に形成されている。
前記蛇腹状部１３の上には、便落下口２８を設けた便座受台１２が設けてあり、便座受台１２の上には、便座１４が載せてあり、そして、この便座１４は後部（供給水ホース２４の設置された側）を、便座受台１２の後部に、図示してない軸で軸着して、略１００度程回動できるように形成してある。なお、トイレ５の後部上方には、給水ホース２２及び給水管２３を通過して供給される洗滌水を貯留する給水タンク２１が設置されている。この給水タンク２１に貯留された洗滌水が、使用者の操作により、供給水ホース２４を介して便落下口２８に供給される。また、トイレ５の両側部には、手摺７が設けられている。
【００１０】
そして、便器本体１１の外側の両側（図２参照）に、それぞれＸ形支脚３６を設けており、このＸ形支脚３６は、第１支脚３７と第２支脚４５の中間部を、支脚用軸４８で軸着してＸ形に形成している。
【００１１】
また、第１支脚３７の前端部３９は、便器本体１１の上部の前部１５に軸着し、第２支脚４５の前端部４７は、便器本体１１の下部の前部１６に軸着している。
そして、第１支脚３７の後端部４０を軸着したラック５６（図６）は、ウォーム５３の回動により、ウォームホイル５４を介して前後に摺動して、便器本体１１の一側面にある第１支脚３７を駆動するように形成してある。
【００１２】
そして、便器本体１１の他側面にある第１支脚３７と第２支脚４５及び、便器本体１１の一側面にある第２支脚４５は、ウォーム５３と連動して動くように形成した構成としている。
【００１３】
一方、トイレ５の下面の全周には、ゴム又は合成樹脂製の、弾力性と水密性を有するリップ部８を設けてある。
また、便器本体１１内に収容された排泄物及び汚水は、満杯になる前に、排出ポンプ２９によって粉砕されつつ可撓性の排出ホース３０から、床上に設けられた排出口を介して排水本管側に排出される。
【００１４】
そして、図３に示すように、トイレ５の前部のリップ部８は、中央部が内側に湾曲した形に形成されている。
そして、空気吸引式のごみ及び水滴吸入装置５０は、図７に示すように、リップ部８の中央部が内側に湾曲した箇所に設置する。このごみ及び水滴吸入装置５０は、リップ部８の外側に開口した開口部を有しており、この開口部が、吸引装置（図示せず）を介して便器本体１１のタンク内に吸引管（図示せず）によって接続されている。
【００１５】
本発明の移動式トイレは、排水設備を備えた洗滌可能な床上にて使用することが好適である。しかし、ごみ及び水滴吸入装置５０を備える形式の移動式トイレの場合、排水設備が設けられていない床であっても、トイレ５を移動しながら、リップ部８の湾曲部（前部）にて効率良く床上の水滴や塵を集めながら吸入装置５０にて塵等を除去することができる。
【００１６】
以上のように本実施形態の移動式トイレによれば、便座１４の高さを、使用者の体格や好みに合った任意の高さに、容易に調節することができる。なお、ラック５６の摺動は、電動モータ等により行うようにしてもよい。この場合、例えば下肢が不自由な使用者が、便座１４を低い位置にして便座１４上に乗り移り、その後便座１４を所定の高さまで上昇させて用便を行うといった使用態様をとることもできる。
【００１７】
また、使用者がトイレ周りを汚した場合には、トイレ周りを水洗いしても、リップ部８と床面が密着しているため、汚水がトイレ下方に流れ込むことはない。このため、清掃の困難なトイレ下方の汚れを極力防止することができる。
【００１８】
【発明の効果】
本発明は、トイレ５をローラ９で床６の面上を移動できるように形成したので、トイレ５を必要とする箇所に容易に移動できるものである。
【００１９】
そして、床６の面上を移動できるトイレ５でありながら、便座１４を昇降させて使用できるので便利である。
また、便器本体１１の両側にＸ形支脚３６を設けた発明は、簡単な構成で確実にトイレ５を昇降できるものである。
【００２０】
また、リップ部８を設けた発明は、トイレ５を床６の面上を移動させるものでありながら、トイレ５の下の床６の上面にごみなどを進入させないものである。さらに、リップ部８の外側にごみ及び水滴吸入装置５０を設けた発明は、床６を積極的に清掃できるものである。
【図面の簡単な説明】
【図１】本発明の一実施の形態の説明用の側面図
【図２】本発明の一実施の形態の説明用の正面図
【図３】本発明の一実施の形態の説明用の平面図
【図４】本発明の一実施の形態の説明用のＸ形支脚の伸長した状態を示す図
【図５】本発明の一実施の形態の説明用のＸ形支脚の縮小した状態を示す図
【図６】本発明の一実施の形態の説明用のラックの摺動機構を示す図
【図７】本発明の他の実施の形態の説明用の平面図
【符号の説明】
５  トイレ
６  床
７  手摺
８  リップ部
９  ローラ
１０  ストッパ
１１  便器本体
１２  便座受台
１３  蛇腹状部
１４  便座
１５  便器本体の上部の前部
１６  便器本体の下部の前部
２１  給水タンク
２２  可撓性を有する給水ホース
２３  給水管
２４  可撓性を有する供給水ホース
２８  便落下口
２９  排出ポンプ
３０  可撓性を有する排出ホース
３６  Ｘ形支脚
３７  第１支脚
３８  第１支脚の前部
３９  第１支脚の前端部
４０  第１支脚の後端部
４５  第２支脚
４６  第２支脚の前部
４７  第２支脚の前端部
４８  支脚用軸
４９  第２支脚の後端部
５０  ごみ及び水滴吸入装置
５３  ウォーム
５４  ウォームホイル
５６  ラック
【図１】
0004508384.tif 000002
【図２】
0004508384.tif 000003
【図３】
0004508384.tif 000004
【図４】
0004508384.tif 000005
【図５】
0004508384.tif 000006
【図６】
0004508384.tif 000007
【図７】
0004508384.tif 000008